(57)【要約】【課題】回転表示リール上で図柄の奥行き感、立体感を表現することができると共に見た目の新しさや意外性をも感じさせることが可能な遊技機を提供する。【解決手段】リールフレームによって円筒状に保持される帯状のリールシート４２，４４と、リールフレームを介してリールシート４２，４４をその中心軸周りに回転駆動する回転駆動手段とを備え、リールシート４２，４４にはその周方向に複数種類の図柄が表示された遊技機で、リールシート４２，４４を同心状に所定間隔を空けて例えば２枚配置し、それら２枚のリールシート４２，４４のうち、外側の外周リールシート４２には図柄を表示すると共にその図柄以外の領域は透明に形成し、その外周リールシート４２の内側の内周リールシート４４には図柄の背景を表示したものである。【選択図】図９
2011177342.tif 000002
【特許請求の範囲】
【請求項１】
帯状又は無端状のリールシート（４２，４２ａ，４２ｂ，４４）と、該リールシート（４２，４２ａ，４２ｂ，４４）を円筒状に保持するリールフレーム（４１，４１ａ，４１ｂ，４３）と、該リールフレーム（４１，４１ａ，４１ｂ，４３）を介して前記リールシート（４２，４２ａ，４２ｂ，４４）をその中心軸（３９）周りに回転駆動する回転駆動手段（３４）とを備え、前記リールシート（４２，４２ａ，４２ｂ，４４）にはその周方向に複数種類の図柄が表示された遊技機において、前記リールシート（４２，４２ａ，４２ｂ，４４）を同心状に所定間隔を空けて複数枚配置し、それら複数のリールシート（４２，４２ａ，４２ｂ，４４）のうち、外側の１又は複数枚の外周リールシート（４２，４２ａ，４２ｂ）には前記図柄を表示すると共にその図柄以外の領域は透明又は半透明に形成し、その外周リールシート（４２，４２ａ，４２ｂ）の内側の内周リールシート（４４）には前記図柄の背景を表示したことを特徴とする遊技機。
【請求項２】
前記外周リールシート（４２ａ，４２ｂ）を複数枚配置し、前記図柄のうちの特定図柄を、それ以外の非特定図柄よりも外周側の前記外周リールシート（４２ａ）上に表示したことを特徴とする請求項１に記載の遊技機。
【請求項３】
帯状又は無端状のリールシート（４２，４４）と、該リールシート（４２，４４）を円筒状に保持するリールフレーム（４１，４３）と、該リールフレーム（４１，４３）を介して前記リールシート（４２，４４）をその中心軸（３９）周りに回転駆動する回転駆動手段（３４）とを備え、前記リールシート（４２，４４）にはその周方向に複数種類の図柄が表示された遊技機において、前記リールシート（４２，４４）を同心状に複数枚配置し、それら複数のリールシート（４２，４４）のうち、外側の１又は複数枚の外周リールシート（４２）には前記図柄のうちの特定図柄を表示すると共にその特定図柄以外の領域は透明又は半透明に形成し、その外周リールシート（４２）の内側の内周リールシート（４４）には前記特定図柄以外の非特定図柄と背景とを表示したことを特徴とする遊技機。
【請求項４】
前記複数枚のリールシート（４２，４２ａ，４２ｂ，４４）の内側にバックライト手段（３６）を配置し、前記外周リールシート（４２，４２ａ，４２ｂ）上の少なくとも一部の図柄における少なくとも一部の領域は、前記図柄上のその他の図柄通常領域（ＰＡ２）に比べて光透過率が高い図柄特別透光領域（ＰＡ１）となっており、前記内周リールシート（４４）上には、少なくとも周囲の領域に比べて光透過率が高い背景特別透光領域（ＰＢ１）が前記図柄特別透光領域（ＰＡ１）に対応して設けられていることを特徴とする請求項１〜３の何れかに記載の遊技機。
【発明の詳細な説明】
【技術分野】
【０００１】
本発明は、回転表示リールを備えたパチンコ機、スロットマシン等の遊技機に関するものである。
【背景技術】
【０００２】
パチンコ機、スロットマシン等の遊技機の中には、演出用の回転表示リールを例えば左右方向に複数個、例えば３個配置したものが知られている。この回転表示リールは、帯状又は無端状のリールシートと、このリールシートを円筒状に保持するリールフレームと、このリールフレームを介してリールシートをその中心軸周りに回転駆動する回転駆動手段とを備え、リールシート上に、複数種類の図柄が周方向に所定ピッチで表示されている。
【０００３】
このような回転表示リールを備えた従来の遊技機では、１枚のリールシート上に図柄が平面的に表示されているため、立体感がなく、視認性も十分とは言い難かった。そこで、特許文献１に記載された発明では、リールシート上に図柄を立体造形物として遠心方向に隆起させており、これによって図柄に立体感を持たせ、良好な視認性を確保できるとしている。
【先行技術文献】
【特許文献】
【０００４】
【特許文献１】特開２００９−７７９３９号公報
【発明の概要】
【発明が解決しようとする課題】
【０００５】
特許文献１に記載された発明では、リールシート上で図柄を立体造形物として形成しているが、リールシートが円筒状に配置されること等を考慮するとその円筒面に立体造形物を形成することは非常に困難でコスト高となる一方、図柄に立体感は出せても奥行き感を十分に感じさせることはできない。また、実際に立体的に形成したものをそのまま見せているだけであるため、見た目の新しさや意外性がないという欠点もあった。
【０００６】
本発明は、上記事情に鑑みてなされたものであり、回転表示リール上で図柄の奥行き感、立体感を表現することができると共に見た目の新しさや意外性をも感じさせることが可能な遊技機を提供することを目的とする。
【課題を解決するための手段】
【０００７】
第１の発明は、帯状又は無端状のリールシート４２，４２ａ，４２ｂ，４４と、該リールシート４２，４２ａ，４２ｂ，４４を円筒状に保持するリールフレーム４１，４１ａ，４１ｂ，４３と、該リールフレーム４１，４１ａ，４１ｂ，４３を介して前記リールシート４２，４２ａ，４２ｂ，４４をその中心軸３９周りに回転駆動する回転駆動手段３４とを備え、前記リールシート４２，４２ａ，４２ｂ，４４にはその周方向に複数種類の図柄が表示された遊技機において、前記リールシート４２，４２ａ，４２ｂ，４４を同心状に所定間隔を空けて複数枚配置し、それら複数のリールシート４２，４２ａ，４２ｂ，４４のうち、外側の１又は複数枚の外周リールシート４２，４２ａ，４２ｂには前記図柄を表示すると共にその図柄以外の領域は透明又は半透明に形成し、その外周リールシート４２，４２ａ，４２ｂの内側の内周リールシート４４には前記図柄の背景を表示したものである。
【０００８】
また第２の発明は、帯状又は無端状のリールシート４２，４４と、該リールシート４２，４４を円筒状に保持するリールフレーム４１，４３と、該リールフレーム４１，４３を介して前記リールシート４２，４４をその中心軸３９周りに回転駆動する回転駆動手段３４とを備え、前記リールシート４２，４４にはその周方向に複数種類の図柄が表示された遊技機において、前記リールシート４２，４４を同心状に複数枚配置し、それら複数のリールシート４２，４４のうち、外側の１又は複数枚の外周リールシート４２には前記図柄のうちの特定図柄を表示すると共にその特定図柄以外の領域は透明又は半透明に形成し、その外周リールシート４２の内側の内周リールシート４４には前記特定図柄以外の非特定図柄と背景とを表示したものである。
【発明の効果】
【０００９】
本発明によれば、図柄が背景から浮き上がって見えると共に室内の照明等によって背景上に図柄の影ができるため、遊技者に図柄の奥行き感、立体感を感じさせるだけでなく見た目の新しさや意外性をも感じさせることができる。
【図面の簡単な説明】
【００１０】
【図１】本発明の第１の実施形態におけるスロットマシンの全体斜視図である。
【図２】同じく本体ケースの正面図である。
【図３】同じく図柄表示ユニットの斜視図である。
【図４】同じく回転表示リールの斜視図である。
【図５】同じくリールドラムの分解斜視図である。
【図６】同じく回転表示リールの要部正面断面図である。
【図７】同じく外周リールシート及び内周リールシートの展開図である。
【図８】同じく外周リールシート及び内周リールシートへの図柄及び背景の印刷状態を示す説明図である。
【図９】同じくリールドラムの図柄の見え方を示す説明図である。
【図１０】本発明の第２の実施形態における外周リールシート及び内周リールシートへの図柄及び背景の印刷状態を示す説明図である。
【図１１】本発明の第３の実施形態における外周リールシート及び内周リールシートへの図柄及び背景の印刷状態を示す説明図である。
【図１２】同じくリールドラムの図柄の見え方を示す説明図である。
【図１３】本発明の第３の実施形態における回転表示リールの要部正面断面図である。
【図１４】同じく外周リールシート及び内周リールシートへの図柄及び背景の印刷状態を示す説明図である。
【図１５】同じくリールドラムの図柄の見え方を示す説明図である。
【発明を実施するための形態】
【００１１】
以下、本発明の実施形態を図面に基づいて詳述する。図１〜図９は本発明をスロットマシンに採用した第１の実施形態を例示している。図１及び図２において、遊技機本体１は、本体ケース２と、この本体ケース２の前側に配置された矩形状の前面パネル３とを備えている。本体ケース２は例えば木製で、左右一対の側板４ａ，４ｂと、それら左右の側板４ａ，４ｂの上下両端側を左右に連結する上板５及び底板６と、背面側を略塞ぐ背板７とにより前側が開放する箱形に形成されており、その前側を開閉自在に閉鎖するように前面パネル３が装着されている。
【００１２】
本体ケース２内には、図２に示すように、図柄表示ユニット８の他、メダル払い出し装置９、メダル補助ケース１０、電源基板が格納された電源基板ケース１１、主制御基板１２が格納された主基板ケース１３等が配置されている。図柄表示ユニット８は、例えば左右の側板４ａ，４ｂ間に架設された中間棚１４上に配置され、メダル払い出し装置９、メダル補助ケース１０、電源基板ケース１１等は底板６上に配置されている。また主基板ケース１３は、例えば背板７の前面側で且つ図柄表示ユニット８の上側近傍に装着されている。
【００１３】
図１に示すように、前面パネル３は左右一端側、例えば左側に配置されたヒンジ手段  （図示省略）を介して本体ケース２に対して開閉自在に装着されており、その上部側には、前面パネル３の裏側に配置された液晶表示ユニット等の表示画面１５ａに対応する第１表示窓１５と、図柄表示ユニット８に対応する第２表示窓１６とが上下に配置されている。
【００１４】
また、第２表示窓１６の下側には、横長状の操作パネル部１７が設けられており、この操作パネル部１７の上面側に、遊技媒体としてのメダルを投入可能なメダル投入口１８、１ベットボタン１９、マックスベットボタン２０、クレジット精算ボタン２１等が設けられ、また操作パネル部１７の前面側に、スタートレバー２２、ストップボタン２３ａ〜２３ｃ、メダル返却ボタン２４等が設けられている。また前面パネル３の下端部前側には、メダル払い出し装置９から払い出されたメダルや返却メダルを前側に排出するための排出口２５が設けられ、その前側に、排出口２５から排出されたメダルを受けるメダル受け皿２６が横長状に配置されている。
【００１５】
図柄表示ユニット８は、図柄を変動表示するためのもので、図２及び図３に示すように、左右方向に配列された複数、例えば３つの回転表示リール３１ａ〜３１ｃと、これら回転表示リール３１ａ〜３１ｃを収容するユニットケース３２とを備え、このユニットケース３２が中間棚１４上の所定位置に載置され、例えば下部前端側が固定具８ａにより中間棚１４に対して着脱自在に固定されている。
【００１６】
ユニットケース３２は、例えば合成樹脂製で、前側の略全面に開口部３３が形成された略箱形に形成されており、その開口部３３を介して回転表示リール３１ａ〜３１ｃを個別に着脱可能となっている。また、ユニットケース３２には、回転表示リール３１ａ〜３１ｃをユニットケース３２内に固定すると共に回転表示リール３１ａ〜３１ｃの前側への電気配線の垂れ下がりを防止するガード部材２７が、開口部３３の上部側でユニットケース３２の左右の側板３２ａ，３２ｂを左右に接続するように着脱自在に装着されている。
【００１７】
３つの回転表示リール３１ａ〜３１ｃは、図柄の配列以外の構成は略同一であって、図４に示すように、夫々回転駆動手段３４と、この回転駆動手段３４によって例えば左右方向の中心軸周りに回転駆動されるリールドラム３５と、このリールドラム３５の内側に配置されるバックライト手段３６と、リールドラム３５の位置を検出する位置検出手段３７と、それら回転駆動手段３４、リールドラム３５、バックライト手段３６及び位置検出手段３７を直接的又は間接的に支持するベース体３８とを備えている。
【００１８】
ベース体３８は、例えば合成樹脂により略板状に形成されており、リールドラム３５の左右方向の一側（ここでは右側）に沿って配置されている。回転駆動手段３４は、例えばステッピングモータにより構成されており、その駆動軸（中心軸）３９を左右方向の一方側（ここでは左側）に向けた状態で、ベース体３８の一面側（ここでは左面側）に固定されている。
【００１９】
リールドラム３５は、図４〜図６に示すように、外周リールフレーム４１と、この外周リールフレーム４１の外周に円筒状に装着される外周リールシート４２と、外径が外周リールフレーム４１よりも若干小さい内周リールフレーム４３と、内周リールフレーム４３の外周に円筒状に装着される内周リールシート４４とで構成されている。
【００２０】
外周リールフレーム４１は、例えば光透過性を有しないか又は光透過率が極めて低い黒色の合成樹脂製で、図５，図６等に示すように、回転駆動手段３４の駆動軸３９（図４）に着脱自在に固定されるハブ部４５と、外周リールシート４２を駆動軸３９を中心とする円筒状に保持する例えば左右一対の外周リム部４６，４７と、これら外周リム部４６，４７の少なくとも一方（ここでは左リム部４６）とハブ部４５との間を半径方向に連結するスポーク部４８とで構成されている。
【００２１】
外周リム部４６，４７は、夫々外周リールシート４２の左右の縁部に沿う円環状に形成されており、外周リールシート４２の裏面に当接する裏面保持部４９と、外周リールシート４２の左右方向外側に沿って裏面保持部４９から半径方向外向きに立設される側縁案内部５０とを備えている。裏面保持部４９は、例えばその全周にわたって一定幅に形成されており、その幅は外周リールシート４２の全幅に対して十分に小さく（例えば１／２０程度）なっている。
【００２２】
これら左右の外周リム部４６，４７のうち、例えば左リム部４６が、周方向複数本（ここでは４本）のスポーク部４８によりハブ部４５と一体に連結されている。右リム部４７については、左リム部４６に対しても、またハブ部４５に対しても直接的には連結されておらず、外周リールシート４２を介して左リム部４６に支持されている。
【００２３】
外周リールシート４２は、図７（ａ）に示すように例えば無色透明の合成樹脂製シートにより一定幅の帯状に形成され、例えばその一面側に、複数（例えば２１個）の図柄が印刷されており、外周リールフレーム４１の外周リム部４６，４７に巻き付けられ、裏面保持部４９の外周面に対して例えば接着剤により貼着されている。また、外周リールシート４２上における図柄以外の部分は無印刷で無色透明のままとなっている。なお、この外周リールシート４２は、その長手方向一端側に重ね代部５１が形成され、その重ね代部５１の分だけ外周リールフレーム４１の周長よりも長くなっており、外周リム部４６，４７に装着する際には、その重ね代部５１の外面側に、他端側を重ねた状態で貼着されるようになっている。
【００２４】
また、外周リールシート４２上には、「７」、「ベル」、「ＢＡＲ」、「スイカ」、  「リプレイ」等の複数種類の図柄が、重ね代部５１を除く長手方向の全体にわたって一定ピッチで複数個（例えば２１個）印刷されており、外周リールシート４２を外周リールフレーム４１に貼着した状態では、それら複数個の図柄が周方向に連続的に表示されるようになっている。なお、図示は省略するが、外周リールシート４２に印刷されている図柄の配列は、回転表示リール３１ａ〜３１ｃ毎に異なっている。
【００２５】
また、各図柄の印刷領域（以下、図柄印刷領域ＰＡという）は、基本的に光透過性を有しないか、又は光透過率が極めて低くなっているが、図８に示すように、複数種類の図柄のうちの特定図柄については、その印刷領域ＰＡの一部が他の図柄通常領域ＰＡ２に比べて光透過率が大きい図柄特別透光領域ＰＡ１となっている。なお本実施形態では、３つの回転表示リール３１ａ〜３１ｃにわたる所定の当選ライン上に揃って停止することにより遊技者に有利なボーナス状態が発生するボーナス図柄としての「７」を特定図柄とし、図８に示すようにその特定図柄「７」の図柄印刷領域ＰＡの一部に図柄特別透光領域ＰＡ１を設けている。
【００２６】
また、ハブ部４５と連結されている左リム部４６上には、その周方向の所定位置に例えば突起状の位置決め部５２が設けられており、外周リールシート４２を外周リールフレーム４１に貼着する際に例えば外周リールシート４２の端部をこの位置決め部５２に沿わせることにより、外周リールフレーム４１に対する外周リールシート４２の周方向位置を全ての個体で一致させることができる。
【００２７】
一方の内周リールフレーム４３も、例えば光透過性を有しないか又は光透過率が極めて低い黒色の合成樹脂製で、図５，図６等に示すように、例えば外周リールフレーム４１のハブ部４５に対して着脱自在に固定されるハブ部５３と、内周リールシート４４を駆動軸３９を中心とする円筒状に保持する例えば左右一対の内周リム部５４，５５と、これら内周リム部５４，５５の少なくとも一方（ここでは左リム部５４）とハブ部５３との間を半径方向に連結するスポーク部５６とで構成されている。
【００２８】
内周リム部５４，５５は、夫々外周リム部４６，４７の内周側近傍で内周リールシート４４の左右の縁部に沿う円環状に形成されており、内周リールシート４４の裏面に当接する裏面保持部５７と、内周リールシート４４の左右方向外側に沿って裏面保持部５７から半径方向外向きに立設される側縁案内部５８とを備えている。裏面保持部５７は、例えばその全周にわたって一定幅に形成されており、その幅は内周リールシート４４の全幅に対して十分に小さく（例えば１／２０程度）なっている。
【００２９】
これら左右の内周リム部５４，５５も、外周リールフレーム４１と同様、例えば左リム部５４が周方向複数本（ここでは４本）のスポーク部５６によりハブ部５３と一体に連結されている。右リム部５５については、左リム部５４に対しても、またハブ部５３に対しても直接的には連結されておらず、内周リールシート４４を介して左リム部５４に支持されている。
【００３０】
内周リールシート４４は、図７（ｂ）に示すように例えば無色透明の合成樹脂製シートにより一定幅の帯状に形成され、例えばその一面側の略全面に背景が印刷されており、内周リールフレーム４３の内周リム部５４，５５に巻き付けられ、裏面保持部５７の外周面に対して例えば接着剤により貼着されている。なお、この内周リールシート４４は、その長手方向一端側に重ね代部５９が形成され、その重ね代部５９の分だけ内周リールフレーム４３の周長よりも長くなっており、内周リム部５４，５５に装着する際には、その重ね代部５９の外面側に、他端側を重ねた状態で貼着されるようになっている。なお、例えば重ね代部５９には背景が印刷されておらず、無色透明のままとなっている。
【００３１】
また、内周リールシート４４上における背景の印刷領域（以下、背景印刷領域ＰＢという）は、基本的に光透過性を有しないか、又は光透過率が極めて低くなっているが、図８に示すように、外周リールシート４２側の図柄特別透光領域ＰＡ１に対応する部分については、他の部分に比べて光透過率が大きい背景特別透光領域ＰＢ１となっている。背景特別透光領域ＰＢ１は、図柄特別透光領域ＰＡ１よりも若干狭い範囲に設けられている。なお、背景特別透光領域ＰＢ１は、無印刷で無色透明としてもよい。
【００３２】
また、ハブ部５３と連結されている左リム部５４上には、その周方向の所定位置に例えば突起状の位置決め部６０が設けられており、内周リールシート４４を内周リールフレーム４３に貼着する際に例えば内周リールシート４４の端部をこの位置決め部６０に沿わせることにより、内周リールフレーム４３に対する内周リールシート４４の周方向位置を全ての個体で一致させることができる。
【００３３】
この内周リールフレーム４３は、外周リールフレーム４１内にその左右方向一方側（ここでは右側）から嵌め込まれ、例えばハブ部５３をハブ部４５に固定することにより、外周リールフレーム４１に対して軸方向及び軸周りに固定されるようになっている。これにより、内周リム部５４，５５は夫々外周リム部４６，４７の内周側に嵌合し、図６に示すように内周リールシート４４と外周リールシート４２とは半径方向に一定の隙間を挟んで同心状に配置される。
【００３４】
なお、外周リールフレーム４１と内周リールフレーム４３との連結部分には、図５に示すように両者を駆動軸３９周りに相対的に位置決めするための位置決め手段６１が設けられている。この位置決め手段６１は、例えば外周リールフレーム４１側のハブ部４５に設けられた回転軸方向の突条部６１ａと、内周リールフレーム４３側のハブ部５３に設けられた回転軸方向の溝部６１ｂとで構成されており、それら突条部６１ａと溝部６１ｂとを互いに一致させた状態でなければ内周リールフレーム４３を外周リールフレーム４１内に装着できないようになっている。これにより、内周リールフレーム４３を外周リールフレーム４１に装着したとき、内周リールシート４４と外周リールシート４２とは周方向の位置関係が常に一定となり、例えば外周リールシート４２側の図柄特別透光領域ＰＡ１の内周側に背景特別透光領域ＰＢ１を確実に一致させることができる。
【００３５】
なお、回転表示リール３１ａ〜３１ｃがユニットケース３２内に装着されたとき、リールドラム３５の前端部分が開口部３３から前側に露出し、その前端部分に対応する周方向複数個（例えば３個）の図柄が第２表示窓１６を介して前側から視認できるようになっている。
【００３６】
バックライト手段３６は、第２表示窓１６に表示されている図柄を裏側から照らすためのもので、複数のＬＥＤ６２が前面側に配置されたＬＥＤ基板６３と、このＬＥＤ基板６３の前側に配置されたシェード部６４とで構成され、リールドラム３５内で且つ回転駆動手段３４の前側に配置されており、例えばシェード部６４がベース体３８に着脱自在に固定され、ＬＥＤ基板６３はシェード部６４の後部側に着脱自在に固定されている。
【００３７】
ＬＥＤ基板６３上には、第２表示窓１６の複数の図柄表示位置に対応する複数組（例えば３組）のＬＥＤ６２が配置されており、シェード部６４は、それら複数組のＬＥＤ６２とそれに対応する複数の図柄表示位置との間の空間を個別に取り囲むように複数（ここでは３つ）の照射室６５〜６７に区分されている。
【００３８】
位置検出手段３７は、例えば透過型フォトセンサにより構成され、例えばベース体３８からリールドラム３５内に突出する膨出部６８の先端側に装着されており、リールドラム３５上の例えばスポーク部４８上に設けられた突起状の被検出部６９を検出することにより、リールドラム３５が所定の回転位置にあることを検出するようになっている。
【００３９】
以上のように、本実施形態のスロットマシンでは、外周リールシート４２と内周リールシート４４とを所定間隔を空けて同心状に配置し、外周リールシート４２には特定図柄  「７」を含む全ての図柄を表示すると共にその図柄以外の領域は透明に形成し、内周リールシート４４には図柄の背景を表示しているため、図９に示すように、図柄が背景から浮き上がって見えると共に室内の照明等によって背景上に図柄の影ができるため、遊技者に図柄の奥行き感、立体感を感じさせるだけでなく見た目の新しさや意外性をも感じさせることができる。
【００４０】
また、リールドラム３５内、即ち外周リールシート４２及び内周リールシート４４の内側にバックライト手段３６が設けられ、外周リールシート４２上の少なくとも一部の図柄における少なくとも一部の領域が、図柄上のその他の領域に比べて光透過率が高い図柄特別透光領域ＰＡ１となっており、内周リールシート４４上に、少なくとも周囲の領域に比べて光透過率が高い背景特別透光領域ＰＢ１が図柄特別透光領域ＰＡ１に対応して設けられているため、外周リールシート４２に図柄を、内周リールシート４４に図柄の背景を夫々表示しているにも拘わらず、図柄上の少なくとも一部をバックライト手段３６の照明によって明るく光らせることができる。
【００４１】
図１０は本発明の第２の実施形態を例示し、外周リールシート４２上の図柄印刷領域ＰＡの全体に光透過性を持たせ、内周リールシート４４上の背景印刷領域ＰＢ上に、光透過性を有する背景透光領域ＰＢ０を図柄印刷領域ＰＡに対応して設けた例を示している。
【００４２】
本実施形態では、外周リールシート４２上の図柄印刷領域ＰＡの全体が光透過性を有しているが、例えば特定図柄「７」上の一部に設けられた図柄特別透光領域ＰＡ１の方が、その他の図柄通常領域ＰＡ２に比べて光透過率が高くなっている。また、背景投光領域ＰＢ０は、図柄特別透光領域ＰＡ１に対応する背景特別透光領域ＰＢ１とその他の背景通常透光領域ＰＢ２とで構成されており、背景特別透光領域ＰＢ１の方が、背景通常透光領域ＰＢ２に比べて光透過率が高くなっている。その他の構成は第１の実施形態と同様である。
【００４３】
このような構成とすることにより、図柄全体をバックライト手段３６の照明によって明るく光らせることができ、更に図柄の一部をより明るく光らせることができる。
【００４４】
図１１及び図１２は本発明の第３の実施形態を例示し、外周リールシート４２上に図柄のうちの特定図柄を、内周リールシート４４上に特定図柄以外の非特定図柄と背景とを表示した例を示している。
【００４５】
本実施形態では、図１１に示すように、外周リールシート４２上には特定図柄の一例としての「７」のみが表示されると共にその特定図柄以外の領域は透明に形成されており、また内周リールシート４２上には、背景と共にその他の非特定図柄、即ち「ベル」、「ＢＡＲ」、「スイカ」、「リプレイ」等が表示されている。
【００４６】
また、第１の実施形態と同様、外周リールシート４２上の特定図柄「７」の印刷領域ＰＡの一部が、他の図柄通常領域ＰＡ２に比べて光透過率が大きい図柄特別透光領域ＰＡ１となっており、また内周リールシート４４の背景印刷領域ＰＢ上には、図柄特別透光領域ＰＡ１に対応して、他の部分に比べて光透過率が大きい背景特別透光領域ＰＢ１が形成されている。その他の構成は第１の実施形態と同様である。
【００４７】
このような構成とすることにより、図１２に示すように、多数の図柄の中で特定図柄  「７」のみが背景から浮き上がって見えるため、特定図柄「７」を特に強調して表示することができる。
【００４８】
図１３〜図１５は本発明の第４の実施形態を例示し、３枚のリールシート４２ａ，４２ｂ，４４を同心状に配置し、外側２枚の第１，第２外周リールシート４２ａ，４２ｂに図柄を表示し、その内側の内周リールシート４４に背景を表示した例を示している。
【００４９】
本実施形態では、図１３に示すように、第１外周リールシート４２ａの内側に第２外周リールシート４２ｂが、更にその内側に内周リールシート４４が所定の隙間を空けて同心状に配置されている。なお、第１外周リールシート４２ａは第１外周リールフレーム４１ａにより、第２外周リールシート４２ｂは第２外周リールフレーム４１ｂにより、内周リールシート４４は内周リールフレーム４３により夫々支持されており、第２外周リールフレーム４１ｂ及び内周リールフレーム４３は例えば第１外周リールフレーム４１ａに固定されているものとする。
【００５０】
また、図１４に示すように、第１外周リールシート４２ａ上には特定図柄の一例としての「７」のみが表示されると共にその特定図柄以外の領域は透明に形成されており、第２外周リールシート４２ｂ上にはその他の非特定図柄、即ち「ベル」、「ＢＡＲ」、「スイカ」、「リプレイ」等が表示されると共にその非特定図柄以外の領域は透明に形成されており、更に内周リールシート４４には背景のみが表示されている。
【００５１】
なお、第１外周リールシート４２ａ上の特定図柄の図柄印刷領域ＰＡ上には、その一部が他の図柄通常領域ＰＡ２に比べて光透過率が大きい図柄特別透光領域ＰＡ１となっており、また内周リールシート４４上の背景印刷領域ＰＢ上には、図柄特別透光領域ＰＡ１に対応して、他の部分に比べて光透過率が大きい背景特別透光領域ＰＢ１が形成されている。
【００５２】
このような構成とすることにより、図１５に示すように、各図柄が背景から浮き上がったように見せることができると共に、それらの図柄の浮き上がり具合を異ならせることにより特定図柄「７」を特に強調して表示することができる。
【００５３】
以上、本発明の実施形態について詳述したが、本発明はこれらの実施形態に限定されるものではなく、本発明の趣旨を逸脱しない範囲で種々の変更が可能である。例えば、第４の実施形態では図柄を２枚の外周リールシート４２ａ，４２ｂに分けて表示したが、図柄を３枚以上のリールシート上に分けて表示してもよい。またその場合でも、一部の図柄を背景と同じリールシート上に表示してもよい。
【００５４】
背景を複数枚のリールシートに分けて表示してもよい。例えば、内側のリールシート上の略全面に「青空」を表示し、その外側のリールシート上には「雲」を表示すると共にそれ以外の部分は無色透明とすることで、青空に雲が浮き上がって見える背景とすることができる。この場合も、図柄は背景が表示された複数のリールシートよりも外周側の１又は複数のリールシート上に表示してもよいし、一部の図柄を背景と同じリールシート上に表示してもよい。
【００５５】
図柄が表示されるリールシートにおける図柄以外の領域は、それよりも内側のリールシートに表示された背景等が透けて見えればよく、着色透明や半透明であってもよい。
【００５６】
複数枚のリールシートを保持するリールフレームの構造は実施形態に示したものに限られるものではなく、例えば各リールシートが夫々貼着される複数の裏面保持部等を１つのリールフレーム上に一体に設けてもよい。リールシートは無端状に形成してもよい。
【００５７】
更に、実施形態では本発明をスロットマシンに適用した例を示したが、パチンコ機、アレンジボール機等のその他の各種遊技機においても同様に実施可能であることは言うまでもない。
【符号の説明】
【００５８】
３４    回転駆動手段
３６    バックライト手段
３９    駆動軸（中心軸）
４１    外周リールフレーム
４１ａ  第１外周リールフレーム
４１ｂ  第２外周リールフレーム
４２    外周リールシート
４２ａ  第１外周リールシート
４２ｂ  第２外周リールシート
４３    内周リールフレーム
４４    内周リールシート
ＰＡ１  図柄特別透光領域
ＰＡ２  図柄通常領域
ＰＢ１  背景特別透光領域
【図１】
2011177342.tif 000003
【図２】
2011177342.tif 000004
【図３】
2011177342.tif 000005
【図４】
2011177342.tif 000006
【図５】
2011177342.tif 000007
【図６】
2011177342.tif 000008
【図７】
2011177342.tif 000009
【図８】
2011177342.tif 000010
【図９】
2011177342.tif 000011
【図１０】
2011177342.tif 000012
【図１１】
2011177342.tif 000013
【図１２】
2011177342.tif 000014
【図１３】
2011177342.tif 000015
【図１４】
2011177342.tif 000016
【図１５】
2011177342.tif 000017